(57)【要約】【課題】ジャッキベースに根がらみを取り付け可能とすること。【解決手段】ジャッキベースＡにおいて鉛直材Ｄの高さ調整を行う回転体３０に、別途連結金具Ｂを取り付け、この連結金具Ｂを介して根がらみＣを配置する。【選択図】図１
2020133126.tif 000002
【特許請求の範囲】
【請求項１】
足場や支保工などの仮設構造物の安定化構造であって、
設置面と接する底部と、前記底部から上方に伸びて、仮設構造物を構成する鉛直材を取付可能なネジ棒と、前記ネジ棒に螺合して上下動可能な回転体とを少なくとも有する、複数のジャッキベースと、
各ジャッキベースに取り付け可能な、連結金具と、
前記連結金具を介して配置する、根がらみと、
を少なくとも具備してなる、
仮設構造物の安定化構造。
【請求項２】
前記回転体は、
前記回転体の側周に少なくとも一箇所以上、凹部を形成してあり、
前記連結金具は、
前記回転体の側周を挟みつつ、前記凹部に係合可能な、取付部と、
前記取付部の背面側に設け、根がらみを把持可能な、把持部と、
を少なくとも有することを特徴とする、
請求項１に記載の仮設構造物の安定化構造。
【請求項３】
足場や支保工などの仮設構造物における根がらみの設置方法であって、
設置面と接する底部と、前記底部から上方に伸びて仮設構造物を構成する鉛直材を取付可能なネジ棒と、前記ネジ棒に螺合して上下動可能な回転体とを少なくとも有する、ジャッキベースを設置する工程と、
別部材のハンドルを用いて前記回転体を螺合して、該回転体を所定の位置に調整する工程と、
前記ハンドルを前記回転体から外し、前記回転体に連結金具を取り付ける工程と、
複数の回転体に対し、連結金具を介して根がらみを配置する工程と、
を少なくとも含むことを特徴とする、
仮設構造物における根がらみの設置方法。
【請求項４】
前記回転体において、前記ハンドルの取付機構と、前記連結金具の取付機構を兼用してあることを特徴とする、
請求項３に記載の仮設構造物における根がらみの設置方法。
【請求項５】
足場や支保工などの仮設構造物に使用するジャッキベースの回転体に取り付ける、根がらみ用の連結金具であって、
前記回転体の側周を挟んで取付可能な、取付部と、
根がらみを把持するための、把持部と、を少なくとも有し、
前記取付部は、
前記回転体の側周を挟むように伸びる、一対の腕部と、
一方の腕部から内側に突出する、突起と、
他方の腕部から内側に突出自在に螺合してある、ボルトと、を少なくとも備え、
前記突起およびボルトによって、前記回転体を側周から挟んで固定可能としたことを特徴とする、
根がらみ用の連結金具。
【発明の詳細な説明】
【技術分野】
【０００１】
本発明は、建設工事現場などで用いる足場や支保工などの仮設構造物における安定化構造等に関し、より詳しくは、仮設構造物の設置面近傍に配置する根がらみの設置に特徴を持たせた発明に関する。
【背景技術】
【０００２】
足場や支保工などの仮設構造物の設置面近傍には、支柱や建地材などの鉛直材を複数スパンにわたって連結する根がらみを設けることが一般的である。
根がらみは、鉛直材に生じる風荷重などの水平力を他の鉛直材に分散させる効果や、鉛直材の不等沈下を防止する効果などを有する。
根がらみは、できる限り低い位置に設置することが求められており、鉛直材との連結態様として、以下の態様が知られている。
【０００３】
［従来態様１］
図６に示すように、ジャッキベースａに取り付ける鉛直材ｂに対し、別途直交クランプｃを介して根がらみｄを取り付けたもの。
［従来態様２］
以下の特許文献１に示すように、根がらみの端部に差込み片を設け、建地側に前記差込み片の受け部を形成したもの。
【先行技術文献】
【特許文献】
【０００４】
【特許文献１】特開２００２−４７７９３号公報
【発明の概要】
【発明が解決しようとする課題】
【０００５】
しかし、従来の根がらみの設置態様では、以下に記載する問題のうち、少なくとも何れか１つの問題を有する。
（１）根がらみの設置高さの低減が、鉛直材の下端近傍までに限られる。
（２）仮設構造物との接触や、地震や風などによる振動などの外部要因を受けて、ジャッキベースの回転体が自然に緩んで下方へと回転してしまったとしても、根がらみが鉛直材の高さを一定に維持しつづけるため、鉛直材と回転体との間が離れてしまい、仮設構造物の荷重がジャッキベースへと伝達されなくなってしまう。
（３）仮設構造物を仮囲いの骨組として使用するべく、鉛直材に別途パネル材などを取り付ける場合に、従来鉛直材にクランプしていた根がらみや、回転体のハンドル部分がパネル材と干渉してしまう懸念がある。
【０００６】
そこで、本願発明は、ジャッキベースに根がらみを取り付けることが可能な手段の提供を少なくとも目的の一つとする。
【課題を解決するための手段】
【０００７】
上記課題を解決すべくなされた本願の第１発明は、足場や支保工などの仮設構造物の安定化構造であって、設置面と接する底部と、前記底部から上方に伸びて、仮設構造物を構成する鉛直材を取付可能なネジ棒と、前記ネジ棒に螺合して上下動可能な回転体とを少なくとも有する、複数のジャッキベースと、各ジャッキベースに取り付け可能な、連結金具と、前記連結金具を介して配置する、根がらみと、を少なくとも具備してなることを特徴とする。
また、本願の第２発明は、前記第１発明において、前記回転体は、前記回転体の側周に少なくとも一箇所以上、凹部を形成してあり、前記連結金具は、前記回転体の側周を挟みつつ、前記凹部に係合可能な、取付部と、前記取付部の背面側に設け、根がらみを把持可能な、把持部と、を少なくとも有することを特徴とするものである。
また、本願の第３発明は、足場や支保工などの仮設構造物における根がらみの設置方法であって、設置面と接する底部と、前記底部から上方に伸びて仮設構造物を構成する鉛直材を取付可能なネジ棒と、前記ネジ棒に螺合して上下動可能な回転体とを少なくとも有する、ジャッキベースを設置する工程と、別部材のハンドルを用いて前記回転体を螺合して、該回転体を所定の位置に調整する工程と、前記ハンドルを前記回転体から外し、前記回転体に連結金具を取り付ける工程と、複数の回転体に対し、連結金具を介して根がらみを配置する工程と、を少なくとも含むことを特徴とするものである。
また、本願の第４発明は、前記第３発明において、前記回転体において、前記ハンドルの取付機構と、前記連結金具の取付機構を兼用してあることを特徴とするものである。
また、本願の第５発明は、足場や支保工などの仮設構造物に使用するジャッキベースの回転体に取り付ける、根がらみ用の連結金具であって、前記回転体の側周を挟んで取付可能な、取付部と、根がらみを把持するための、把持部と、を少なくとも有し、前記取付部は、前記回転体の側周を挟むように伸びる、一対の腕部と、一方の腕部から内側に突出する、突起と、他方の腕部から内側に突出自在に螺合してある、ボルトと、を少なくとも備え、前記突起およびボルトによって、前記回転体を側周から挟んで固定可能としたことを特徴とするものである。
【発明の効果】
【０００８】
本発明によれば、以下に記載する効果のうち少なくとも何れか１つの効果を得ることができる。
（１）従来、鉛直材に取り付けていた根がらみをより低い位置に設置できるため、仮設構造物の安定化に寄与する。
（２）仮設構造物の構築後に何らかの理由で回転体が緩んで自然に回転しようとしても、連結金具によって把持される根がらみでもって当該回転動作が規制されるため、仮設構造物の構築後の回転体の位置ズレを防止することができる。その結果、回転体の位置（高さ）が保持されるため、鉛直材と回転体との接触が常に保たれることとなり、仮設構造物の荷重を確実にジャッキベースへと伝達することができる。
（３）ジャッキベースの回転体から、当該回転体の回転動作に用いるハンドルが除かれ、さらにジャッキベース自体に根がらみを取り付ける態様となったため、鉛直材に対するその他の取付部材の干渉要素が少なくなり、仮設構造物の設計の自由度が向上する。
【図面の簡単な説明】
【０００９】
【図１】第１実施例に係る仮設構造物の概略斜視図。
【図２】ジャッキベースおよび連結金具の概略斜視図。
【図３】根がらみの設置手順の一例を示す図。
【図４】作用効果を説明するための図。
【図５】第２実施例に係るジャッキベースを示す図。
【図６】従来の根がらみの設置態様を示す図。
【発明を実施するための形態】
【００１０】
以下、図面を参照しながら本発明の実施例について説明する。
【実施例１】
【００１１】
＜１＞全体構成（図１）
図１に、本発明に係る仮設構造物の構築状態を示す。
本発明に係る仮設構造物は、仮設構造物の設置面に配置するジャッキベースＡと、前記ジャッキベースＡに取り付ける連結金具Ｂと、前記連結金具Ｂを介してジャッキベースＡ間に配置する根がらみＣとを少なくとも具備してなる。
また、ジャッキベースＡには、仮設構造物を構成する建地材や支柱などの鉛直方向を長手方向とする鉛直材Ｄを上方から取り付けている。
【００１２】
＜２＞ジャッキベース（図２）
ジャッキベースＡは、仮設構造物の最下部に配置する部材である。
ジャッキベースＡは、通常、設置面に接する底部１０と、前記底部１０から上方に伸びるネジ棒２０と、前記ネジ棒２０に螺合して、前記ネジ棒２０に差し込んだ鉛直材Ｄを下から支持しながら、底部１０と鉛直材Ｄの下端との離隔距離を調整可能な回転体３０とを具備して構成する。
このうち、回転体３０の詳細について以下説明する。
【００１３】
＜３＞回転体（図２）
回転体３０は、底部１０と鉛直材Ｄの下端との離隔距離を調整するための部材である。
設置面が、傾斜地であったり、不陸が大きかったりする場合には、ジャッキベースＡの上方に設ける仮設構造物の水平を維持するべく、回転体３０の位置を調整する作業を行う。
従来の回転体３０は、ネジ棒２０上の螺合動作を行うために、側周面から張り出した持ち手部分を常設していることが一般的であるが、本発明では、前記の持ち手部分を常設せずに、任意に脱着自在可能な構成としている。
本実施例では、回転体３０の側周面に凹部３１を形成している。
この凹部３１に係止可能に構成した別部材のハンドルＥを用いて、回転体３０の螺合動作を可能とする。
【００１４】
＜３．１＞凹部の形態について
本発明では特に凹部３１の数や位置を限定するものではない。
なお、本実施例では、凹部３１を回転体３０の側周面において９０°ずつ間隔を空けて４箇所配置している。これは、ハンドルＥを用いた螺合動作を行う際に、適宜ハンドルＥを係止する凹部３１を入れ換えながら作業を行うことで、作業効率を向上させるためである。
【００１５】
＜３．２＞凹部の兼用について
前記した凹部３１は、後述する連結金具Ｂの取付にも使用可能と態様としてもよい。
したがって、凹部３１の数が多ければ多いほど、連結金具Ｂの取付位置、すなわち、回転体３０の位置に対する根がらみＣの長手方向を柔軟に設定することができることとなる。ただし、ジャッキベースＡにおいて回転体３０の一回転に対する上下動のピッチは僅かであるため、本実施例のように凹部３１を９０°ずつ４箇所設けておけば、根がらみＣの設置方向を規定したときに、ジャッキベースＡが設置面から離れてしまうなどの支障はほぼ生じない。
【００１６】
＜４＞連結金具（図２）
連結金具Ｂは、ジャッキベースＡに取り付けることで、鉛直材Ｄよりも低い位置に根がらみＣを取り付けるための部材である。
本実施例では、連結金具Ｂは、ジャッキベースＡの回転体３０に取り付け可能な取付部４０と、根がらみＣを把持可能な把持部５０と、を有して構成する。
【００１７】
＜５＞取付部（図２）
取付部４０は、ジャッキベースＡの回転体３０に取り付けるための部位である。
本実施例では、取付部４０を、平面視して離隔状態で対向配置する一対の腕部４１を有する略コ字状を呈する部材で構成している。
一対の腕部４１の離隔距離は、前記した回転体３０の直径よりも大きく構成し、回転体３０の側周面を一対の腕部４１で狭むように位置させることができる。
一方の腕部４１には、内側に突出する突起４２を設け、他方の腕部４１には、内側への突出長を調整可能に螺合したボルト４３を設けている。
突起４２およびボルト４３を、前記回転体３０に設けた、略１８０°間隔を空けた二箇所の凹部３１に係合することで、回転体３０に対し、連結金具Ｂを固定することができる。
【００１８】
＜６＞把持部（図２）
把持部５０は、根がらみＣを把持するための部材である。
把持部５０は、鉛直材Ｄやネジ棒２０と略直交するように配置する根がらみＣを取り付け可能であれば、如何なる態様であってもよい、
本実施例では、把持部５０に、取付部４０の背面側に固定した単管クランプを用いている。
【００１９】
＜７＞使用方法（図３）
図を参照しながら、仮設構造物の設置において根がらみＣを設置するまでの手順を説明する。
（１）ジャッキベースの設置（図３（ａ））
まず、所定間隔を空けながらジャッキベースＡを配置する。
（２）回転体の位置調整（図３（ｂ））
ハンドルＥを回転体３０に設けた凹部３１に係止して回転動作を行い、各回転体３０の高さを調整する。
（３）連結金具の設置（図３（ｃ））
回転体３０をハンドルＥから外し、連結金具Ｂを回転体３０の凹部３１にはめ込んでボルト４３の締結を進めて固定する。
（４）根がらみの設置（図３（ｄ））
各連結金具Ｂを介して根がらみＣを取り付ける。
【００２０】
＜７．１＞根がらみを利用した回転体の位置調整
なお、前記（２）の工程において、全ての回転体３０の高さを調整する必要はなく、一部の回転体３０について位置調整を行い、前記（４）の工程で前記一部の回転体３０に取り付けた根がらみＣの解放端側の位置を参考にして、その余の回転体３０の位置調整や連結金具Ｂの設置を行ってもよい。
【００２１】
＜８＞作用・効果（図４）
図を参照しながら、本発明を適用した仮設構造物の作用効果について説明する。
（１）仮設構造物の安定化（図４（ａ））
根がらみＣを、従来の鉛直材Ｄに設置していた態様より低い位置に設置できるため、仮設構造物の安定化に寄与する。
（２）回転体３０の拘束・荷重伝達性の維持（図４（ａ））
根がらみＣは１本当たり、最低三箇所の回転体３０（ジャッキベースＡ）と連結する態様で設置される。そのため、仮設構造物との接触や、地震や風などによる振動などの外部要因を受けて回転体３０が緩んで自然に回転しようとしても、連結金具Ｂによって把持される根がらみＣでもって当該回転動作が規制されるため、仮設構造物の構築後の回転体３０の位置ズレを防止することができる。
さらに、回転体３０の位置（高さ）を保持することができるため、鉛直材Ｄと回転体３０との接触が常に保たれることとなるため、鉛直材Ｄと回転体３０とが離れてしまうことによる、仮設構造物の荷重がジャッキベースＡに伝達されない問題が生じることなく、仮設構造物全体の荷重伝達性を維持することができる。
（３）鉛直材Ｄに別部材を配置する場合の干渉防止（図４（ｂ））
仮設構造物を仮囲いとして使用するべく、鉛直材Ｄに別途パネル材などを取り付ける場合に、従来、鉛直材Ｄにクランプしていた根がらみＣや、回転体３０のハンドルＥ部分が干渉する懸念があったところ、ジャッキベースＡの回転体３０からハンドルＥが除去され、さらにジャッキベースＡに根がらみＣを取り付ける態様となったため、鉛直材Ｄに対する取付部４０材の干渉要素が少なくなり、仮設構造物の設計の自由度が向上する。
【実施例２】
【００２２】
本発明に係るジャッキベースの回転体の別実施例について説明する。
図５に示すように、本実施例に係るジャッキベースＡは、回転体３０の側周面に設けた等間隔に４箇所設けた凹部３１に雌ネジ部３１１を形成し、当該雌ネジ部３１１に螺合可能な雄ネジ部６０を設けたハンドルＥを二箇所設けて、従来の回転体３０と等しい外観を構成している。
この場合、実施例１で使用したハンドルＥは不要となる。
【符号の説明】
【００２３】
Ａ      ジャッキベース
１０    底部
２０    ネジ棒
３０    回転体
３１    凹部
３１１  雌ネジ部
Ｂ      連結金具
４０    取付部
４１    腕部
４２    突起
４３    ボルト
５０    把持部
Ｃ      根がらみ
Ｄ      鉛直材
Ｅ      ハンドル
６０    雄ネジ部
ａ      ジャッキベース
ｂ      鉛直材
ｃ      直交クランプ
ｄ      根がらみ
【図１】
2020133126.tif 000003
【図２】
2020133126.tif 000004
【図３】
2020133126.tif 000005
【図４】
2020133126.tif 000006
【図５】
2020133126.tif 000007
【図６】
2020133126.tif 000008